(57)【要約】【課題】水槽１内に設置する水中ポンプ３を案内するように配設されたガイドパイプ１２の一端部を支持するガイドホルダ２として、異音の発生を防止する。【解決手段】ガイドホルダ２は、ガイドパイプ１２の一端開口が外挿されることによってガイドパイプ１２の一端部を支持する支持部２２と、支持部２２の外面とガイドパイプ１２の内面との間に介在する防振部材２３と、を備える。防振部材２３は、弾性変形によって伸縮可能な紐状の無端体であり、支持部２２には、その径方向に貫通すると共に、防振部材２３が係合する係合部２４が形成されており、防振部材２３は、係合部２４内に配設されて当該係合部２４に係合しつつ、支持部２２の外面に巻き付けられることで、支持部２２に取り付けられている。【選択図】図２
2011117384.tif 000002
【特許請求の範囲】
【請求項１】
水槽内に設置する水中ポンプを案内するように配設されたガイドパイプを支持するガイドホルダであって、
前記ガイドパイプの一端部が外挿されることによって、当該ガイドパイプの一端部を支持する支持部と、
前記支持部の外面と前記ガイドパイプの内面との間に介在する防振部材と、を備え、
前記防振部材は、弾性変形によって伸縮可能な紐状の無端体であり、
前記支持部には、前記防振部材が係合する係合部が、前記ガイドパイプの挿入方向に直交する径方向に貫通するように形成されており、
前記防振部材は、前記係合部内に配設されることで当該係合部に係合しつつ、当該支持部の外面に巻き付けられることで、前記支持部に取り付けられているガイドホルダ。
【請求項２】
請求項１に記載のガイドホルダにおいて、
前記防振部材は、相対する二本を重ね合わせるようにして前記径方向に沿って前記係合部内に配設することにより、前記支持部を間に挟んだ前記径方向の一側及び他側のそれぞれで環状となる部分を形成すると共に、当該各環状部分を前記径方向の逆側に向かって折り返すようにして前記支持部の外面に巻き付けることにより、前記支持部の外面に二重に巻き付けられているガイドホルダ。
【発明の詳細な説明】
【技術分野】
【０００１】
ここに開示する技術は、例えば下水中継ポンプ槽等の、水中ポンプが設置される水槽において、当該水中ポンプを案内するガイドパイプの一端部を支持するガイドホルダに関する。
【背景技術】
【０００２】
例えば下水中継ポンプ槽等の水中ポンプが設置される水槽内には、鉛直方向に延びるガイドが配設されており、このガイドは、水槽に水中ポンプを設置するとき及び水槽に設置している水中ポンプを引き揚げるときに、水中ポンプの昇降を案内するために用いられる。例えば特許文献１には、ガイドの上端部を支持するガイド支持具が開示されており、このガイド支持具は、水槽の壁面に固定されると共に、管状の前記ガイドの上端部に内嵌される装着ピンを有しており、この装着ピンがガイドの上端部に内嵌されることによって、ガイドの上端部を支持するようになっている。
【先行技術文献】
【特許文献】
【０００３】
【特許文献１】特開平１１−１４１４９２号公報
【発明の概要】
【発明が解決しようとする課題】
【０００４】
ところで、前記特許文献１に開示されているガイド支持具のように、管状のガイドの上端部に装着ピンを内嵌する構成では、水中ポンプやその付帯設備に起因して発生する振動によってガイドが振動をしたり、そのガイドを通じた振動の伝播によってガイドと装着ピンとが互いに当たって異音が発生したりする場合がある。
【０００５】
ここに開示する技術は、かかる点に鑑みてなされたものであり、その目的とするところは、水中ポンプのガイドパイプを支持するガイドホルダとして、ガイドパイプの振動や異音の発生を防止することにある。
【課題を解決するための手段】
【０００６】
本願発明者らは、前記の振動及び異音の発生を防止すべく、ガイドパイプと、それに内挿されることでガイドパイプを支持するガイドホルダの支持部との間に、防振部材を介在させる点に着目した。具体的には、ガイドパイプに内挿される支持部の外周面に、リング状の凹溝を形成すると共に、その凹溝内に、Ｏリングのような無端状の弾性部材を配設するようにした。このようにして支持部に弾性部材を取り付けることにより、ガイドホルダの支持部の外面とガイドパイプの内面とが互いに当接することが回避されると共に、水中ポンプの駆動時等に、ガイドパイプを通じて振動が伝わったとしても、両者の間に介在する弾性部材が振動を吸収し得ることで、振動や異音の発生を防止し得ることを見出した。
【０００７】
しかしながらこの構成は、支持部の外周面にリング状の凹溝を形成する必要があり、その加工に手間がかかるという不都合がある。また、例えば既設の支持部に対して凹溝を追加工することはできず、防振部材が取り付けられていない既設の設備に、防振対策を施そうとしたときには、例えばガイドホルダを交換する必要があり、費用や納期の面で不利になるという問題がある。
【０００８】
そこで本願発明者らは、ガイドホルダの支持部に対して、防振部材を簡易に取り付け得る、新たな構成を創案するに至ったものである。具体的に、ここに開示するガイドホルダは、水槽内に設置する水中ポンプを案内するように配設されたガイドパイプの一端部を支持するガイドホルダであって、前記水槽の壁面に固定される本体部と、前記本体部に対して一体的に設けられ、前記ガイドパイプの一端部が外挿されることによって、当該ガイドパイプの一端部を支持する支持部と、前記支持部の外面と前記ガイドパイプの内面との間に介在する防振部材と、を備える。そして、前記防振部材は、弾性変形によって伸縮可能な紐状の無端体であり、前記支持部には、前記防振部材が係合する係合部が、前記ガイドパイプの挿入方向に直交する径方向に貫通するように形成されており、前記防振部材は、前記係合部内に配設されることで当該係合部に係合しつつ、当該支持部の外面に巻き付けられることで、前記支持部に取り付けられている。
【０００９】
この構成によると、ガイドパイプの一端部に内挿されるガイドホルダの支持部に、防振部材が取り付けられることによって、支持部の外面とガイドパイプの内面との間に防振部材が介在するようになる。これにより、水中ポンプの駆動時等の、水中ポンプ又はその付帯設備に起因して発生した振動によって、ガイドパイプが振動したり、支持部とガイドパイプとが互いに当たって異音が発生したりすることが防止され得る。
【００１０】
そうして、この構成においては、防振部材が支持部に対して径方向に貫通形成された係合部に係合した状態で、当該支持部の外面に巻き付けられている。ここで、係合部は、支持部に対し、径方向に貫通した孔、又は、径方向に貫通すると共にその端面に開口した溝等とすればよい。つまり、この構成では、前述したように支持部の外面にリング状の凹溝を形成しなくても、支持部に係合部を貫通形成すればよく、支持部に対する加工は容易である。また、係合部の貫通形成であるため、既設のガイドホルダの支持部に対しても追加工が可能であるという利点がある。すなわち、この構成は、既設のポンプ槽に対する異音対策を容易に行い得る点で有利である。
【００１１】
前記防振部材は、相対する二本を重ね合わせるようにして前記径方向に沿って前記係合部内に配設することにより、前記支持部を間に挟んだ前記径方向の一側及び他側のそれぞれで環状となる部分を形成すると共に、当該各環状部分を前記径方向の逆側に向かって折り返すようにして前記支持部の外面に巻き付けることにより、前記支持部の外面に二重に巻き付けられている、としてもよい。
【００１２】
この構成によると、無端状の防振部材を、容易にかつ確実に支持部に取り付け得る。
【発明の効果】
【００１３】
以上説明したように、前記のガイドホルダは、支持部とガイドパイプとの間に介在する防振部材が、支持部に貫通形成された係合部に係合した状態で当該支持部の外面に巻き付けることにより前記支持部に取り付けられるため、支持部に対する加工は、係合部を貫通形成するだけでよく、その加工が容易であると共に、支持部に対する追加工も可能になり、既設のポンプ槽に対しても、防振対策を容易に行い得る点で有利である。さらに、係合部を貫通孔とした場合は、ガイドパイプの抜き差し方向の何れに対しても、支持部に取り付けた防振部材のズレを防止することができ、また、係合部を貫通溝とした場合でも、防振部材の一方向のズレを防止することができる。
【図面の簡単な説明】
【００１４】
【図１】ポンプ槽の全体構成を示す断面図である。
【図２】（ａ）ガイドホルダの正面図、（ｂ）支持部の側面図である。
【図３】図２のIII−III断面図である。
【図４】ガイドホルダに防振部材を取り付ける手順を示す説明図である。
【図５】図２とは別の構成のガイドホルダの正面図である。
【発明を実施するための形態】
【００１５】
以下、ガイドホルダの実施形態を図面に基づいて説明する。尚、以下の好ましい実施形態の説明は、本質的に例示に過ぎない。図１は、実施形態に係るガイドホルダが適用された水槽の一例としての下水中継ポンプ槽１（以下、単にポンプ槽１ともいう）を示している。ポンプ槽１は、流入口５及びマンホール１１を有すると共に、その内部に水中ポンプ３が設置されている。水中ポンプ３は、ポンプ槽１内に流入口５より流入した下水の水位が所定の運転レベル以上になったときには、所定の停止レベルに水位が低下するまで駆動して、下水を固定排出管６を通じてポンプ槽１から排出する。この水中ポンプ３の運転制御のために、ポンプ槽１内には、運転用フロートスイッチ７、停止用フロートスイッチ８及び異常水位警報用フロートスイッチ９が設けられていると共に、ポンプ槽１の上方に制御盤１０が設けられている。
【００１６】
水中ポンプ３は、ポンプ槽１のマンホール１１よりガイドパイプ１２を伝って槽内底部に降ろされ、詳細な図示は省略するが、着脱装置によりポンプ槽１に着脱自在に設置される。ポンプを昇降しないとき，昇降用チェーン１５は，槽内に落下しないようマンホール１１の蓋１４に掛着されている。着脱装置は、水中ポンプ３をポンプ槽１内に固定された固定排出管６に結合するものであり、この結合により水中ポンプ３が固定排出管６に接続される。
【００１７】
ガイドパイプ１２は、図１，２に示すように、ポンプ槽１内を鉛直方向に延びて配設されていると共に、２本並んで配設されている。水中ポンプ３に設けられたガイド（図示省略）が、各ガイドパイプ１２に係合することによって、水中ポンプ３は、ガイドパイプ１２に案内されながらポンプ槽１内を昇降する。各ガイドパイプ１２は中空の円管からなり、その下端部は、ポンプ槽１の底に固定されたコネクション６０に固定されている一方、その上端部は、マンホール１１に固定されたガイドホルダ２に支持されている。
【００１８】
ガイドホルダ２は、図２に示すように、マンホール１１の壁部に対しボルト止めにより固定される本体部２１と、本体部２１に対して一体的に設けられた２つの支持部２２，２２と、を備えて構成されている。各支持部２２は、図３に示すように、円管状のガイドパイプ１２に対応して中空の円筒状であり、その筒軸が鉛直方向となるように配置されていると共に、前記本体部２１から下向きに突出するように配置されている。各支持部２２は、図２に端的に示すように、ガイドパイプ１２の上端開口から内挿され、そのことにより、ガイドパイプ１２の上端部を支持するように構成されている。尚、支持部２２は、筒状でなく中実であってもよい。また、断面円形状でなくてもよく、断面矩形状等であってもよい。但し、支持部２２の断面形状は、ガイドパイプ１２の形状と対応させることが望ましい。ガイドホルダ２は、図２，３に示すように、その下端部の所定箇所、詳細には、ガイドパイプ１２が外挿されたときに、そのガイドパイプ１２内に位置する箇所に、径方向に貫通形成された貫通孔２４を有している。この貫通孔は、後述する防振部材を係合するための係合部２４として機能する。この係合部２４は、前記円筒状の支持部２２に対して、例えば、ドリルを用いたキリ穴加工により形成すれば、加工が容易で好ましい。
【００１９】
そうして、各支持部２２には防振部材２３が取り付けられ、これによって各支持部２２にガイドパイプ１２の上端部が外挿されたときには、支持部２２の外周面とガイドパイプ１２の内周面との間に、防振部材２３が介在するようになっている（図２，３参照）。防振部材２３は、図４に示すように、紐状の無端体であって、弾性変形によって伸縮可能に構成されている。防振部材２３はゴム製の環状部材とすればよく、例えばＯリングやＸリングを流用することも可能である。防振部材２３の断面形状には特に制限はなく、Ｏリングを流用した場合のように、断面円形状であってもよいし、Ｘリングを流用した場合のように、断面Ｘ字状であってもよい。また、断面矩形状であってもよい。防振部材２３は、図２，３に示すように、係合部２４に内挿されてこの係合部２４に係合した状態で、支持部２２の外周面に対し二重に巻き付けられることによって、支持部２２に対し取り付けられている。
【００２０】
ここで、防振部材２３を支持部２２に対して取り付ける手順について、図４を参照しながら説明する。先ず、防振部材２３における中央部２３１で相対する２本を重ね合わせるようにして、その中央部２３１を径方向に沿って、支持部２２に形成された係合部２４に内挿する。こうすることで、図４における、支持部２２を間に挟んだ手前側と奥側との両側で、防振部材２３の端部２３２，２３３がそれぞれ環状になる（図４のＰ１参照）。そして、例えば図４における手前側の環状部分２３２を、径方向の反対側（奥側）に向かって折り返すようにして、その環状部分２３２を支持部２２の外周面に対して巻き付けるようにする（図４のＰ２参照）。そしてさらに、図４における奥側の環状部分２３３を、径方向の反対側（手前側）に向かって折り返すようにして、その環状部分２３３を支持部２２の外周面に対して巻き付けるようにする（図４のＰ３参照）。こうして、無端状の防振部材２３は、その中間部２３１が支持部２２の係合部２４に係合しつつ、その各端部２３２，２３３が支持部２２の外周面に二重に巻き付けられることで、支持部２２に対して取り付け固定されることになる。そうして防振部材２３が取り付けられた支持部２２に対して、ガイドパイプ１２の上端部が外挿されることにより、図２，３に示すように、支持部２２の外周面とガイドパイプ１２の内周面との間に防振部材２３が介在した状態で、ガイドパイプ１２の上端部が支持部２２に支持されるようになる。
【００２１】
ここで、無端状（環状）の防振部材２３は、当該支持部２２に対して二重に巻き付け可能であると共に、弾性復元力によって支持部２２の外周面に密着するように、前記支持部２２の外径寸法に応じて、その環の内径寸法を設定すればよい。また、防振部材２３の太さは、支持部２２とガイドパイプ１２との内外径差に応じて、支持部２２の内周面とガイドパイプ１２の外周面との間で、例えば両周面に密着し得る程度の太さに設定すればよい。
【００２２】
以上説明したように、前記の構成のガイドホルダ２は、支持部２２に取り付けたゴム製の防振部材２３が、その支持部２２の外周面とガイドパイプ１２の内周面との間に介在するため、例えば水中ポンプ３の駆動時等の、水中ポンプ３及びそれの付帯設備に起因して振動が発生しても、ガイドパイプ１２の振動が抑制されると共に、その振動が伝播したときでも、支持部２２とガイドパイプ１２とが互い当たって異音が発生することが防止され得る。
【００２３】
防振部材２３は、支持部２２に対して係合部２４を貫通形成するだけで、当該支持部２２に取り付けることが可能であり、係合部２４の加工が極めて容易であるという利点がある。また、例えば既設のポンプ槽１においても、ガイドホルダ２の支持部２２に対して係合部２４（貫通孔）を追加工することは、その現場において容易に行い得るため、ポンプ槽１の防振対策を容易かつ安価に行い得る点で有利である。さらに、図４に示すように、防振部材２３の取り付けも極めて容易であり、このこともまた、ポンプ槽１の防振対策を現場にて行う際に有利である。また、防振部材２３が係合部２４に対して係合していることにより、取り付け後の防振部材２３の抜け落ち等は確実に防止され得る。
【００２４】
尚、例えば図５に示すように、支持部に形成する係合部としては、貫通孔でなくても、切り欠き形状であってもよい。つまり、図５に示す構成において、係合部２５は、支持部２２に対して貫通形成されると共に、その下端部にも開口する切り欠き溝形状である。この形状であっても、前記と同様に防振部材２３は係合部２５に係合し得る。この構成ではまた、防振部材２３を支持部２２の下端開口から切り欠き状の係合部２５に挿入することができるため、支持部２２に対する防振部材２３の取り付けは、さらに容易になる。尚、係合部２５の切り欠き溝の形状は、図５に示すように、鉛直方向に真っ直ぐな形状に限らず、例えば溝の上端部が屈曲するような、天地を反転させた逆Ｌ字状等にすることも可能である。
【００２５】
また、このガイドホルダ構造は、ガイドパイプの下端部の支持に適用することも可能である。
【００２６】
また、ガイドパイプは長手方向に分割される場合があり、この分割部分に、ガイドパイプを上下に連結すると共に、壁部に固定するガイドホルダを設けてもよい。この分割部分に設けるガイドホルダは、図示は省略するが、上下それぞれのガイドパイプに内挿されるガイドホルダ２と同様の支持部を、上下方向に２つずつ備えることになる。
【００２７】
また，ガイドホルダは，マンホールに固定される以外にも、ガイドパイプを支持することができれば、例えば水槽の壁面、排水配管又は水槽外の壁面等、その固定位置は限定されず、また、その固定方法も限定されない。
【産業上の利用可能性】
【００２８】
以上説明したように、ここに開示したガイドホルダは、水中ポンプが設置される水槽において、水中ポンプを案内するガイドパイプの一端部を支持するガイドホルダとして有用である。
【符号の説明】
【００２９】
１    ポンプ槽（水槽）
１２  ガイドパイプ
２    ガイドホルダ
２１  本体部
２２  支持部
２３  防振部材
２４  係合部
２５  係合部
３    水中ポンプ
【図１】
2011117384.tif 000003
【図２】
2011117384.tif 000004
【図３】
2011117384.tif 000005
【図４】
2011117384.tif 000006
【図５】
2011117384.tif 000007